(57)【要約】      （修正有）【課題】小規模農業にも負担がかからない小型のＷローターを提供する。【解決手段】田畑の開墾時に、前ローター１で４０％の開墾をし、トラクターエンジン駆動部に無理な負担をかけず開墾をし、後ローター２により１００％の開墾をする。【選択図】図１
2016077282.tif 000002
【特許請求の範囲】
【請求項１】
トラクターで（６）代か機するにあたり、現在においては、大型のロータ（２）１機により田畑の開墾をしていましたが、新しく発明、考案いたしました、Ｗローター（代か機）は前部小ローター（１）で４０％、後部大ローター（２）で１００％のローター２機により田畑の開墾をする事ができる特徴を持つＷローター（代か機）である。
【請求項２】
前部小ローター（１）と後部大ローター（２）には取り付けに段差があり、また回転は同じでも前小ローター（１）は後大ローター（２）より小さい為に、回転は速く前小ローター（１）で４０％の開墾をし後大ローター（２）では１００％の開墾をし、尚且つ従来通りの開梱をすることにより、トラクター本体ならびにＷローター（１）（２）（代か機）の負担を軽減できるように工夫をした請求１記載のＷローター（代か機）である。
また、トリプルローターとして開墾を可能とするものである。
【請求項３】
前部小ローター（１）（代か機）で４０％の開墾を、後部大ローター（２）で１００％の開墾を、これら前部小ローター（１）は、後部大ローターよりローターが小さい為に、回転は速く、無理なく開墾された土は、後部ローター（２）により再度細かく開墾されます。
またトリプルローターとしての開墾も可能としたＷローター（代か機）である。
【発明の詳細な説明】
【発明の詳細な説明】
【技術分野】
【０００４】従来のトラクター（６）は、後部の大型のローター（２）１機により開墾する為、トラクターエンジン、また大型ローターで深掘りを一度にするために、かなりの負担がかかり、トラクター本体、または代か機の損傷もはげしく、経費もかかり作業効率もよくありません。今回発明、考案されたＷローター（代か機）は、負担を軽くし、作業効率を良くすることを可能としたＷローターである。
【従来の技術及び発明が解決しようとする課題】
【０００５】現在のトラクターでの代か機は、ローター機で開墾をする為に、同じ場所を何度も回る必要があり、また深掘りする時も低速にて何度も回らなくてはならず、トラクター（６）と代か機（２）にはかなりの負担がかかり、トラクターは大型が必要となり、経費またこれらの損傷もかなりのものである。
Ｗローターでは前後のローター（１）で４０％、後部ローター（２）で１００％の開梱をする為に、負担なく開梱ができ、またトラクターも小型ですみ、損傷、経費の節減も可能としたＷローター（代か機）である。
【背景技術】
【０００６】大型のローター（代か機）１機のみで、田畑の開梱をする為に、大型トラクターが必要になり、また１度に無理に開梱するために、開墾スピードはもちろんのこと遅くなり、エンジン、ローター刃にもかなりの負担、損傷がかかり本体、またローター（代か機）の寿命が短くなり、経費もかなりかかります。
【発明が解決しようとする課題】
【０００７】トラクター（６）（代か機（２）のみで、田畑の開梱をしますが、田畑が固いために、トラクター（６）のスピードは低速で、作業効率が非常に悪く時間がかかりましたが、今回発明、考案しましたＷローターでは、前ローター（１）で４０％の開墾をし、後ろローター（２）で１００％の開墾を２度に分けてする為に、トラクター（６）またＷローター（代か機）の負担を軽減し、作業効率を上げ、尚且つ経費を削減し、スピードアップ、また土をより細かくする事を考えて発明、考案されたＷローター（代か機）である。
【課題を解決するための手段】
【０００８】本発明、考案に係るＷローター（１）（２）（代か機）は原則として前小ローター（１）と後大ローター（２）が回転をし、前小ローターで４０％の開墾をし、また草、藁などの切断をしつつ後大ローター（２）より、回転も速く、前ローター（１）で４０％の開墾をし、後大ローター（２）でこれを再度より細かく開墾しながら尚且つ１００％の開墾をし、機械に優しく、作業効率、経費削減できるＷローター（代か機）である。
【発明の効果】
【０００９】本発明のＷローター（１）（２）（代か機）はトラクターのエンジン、またＷローター（代か機）の負担、損傷を軽減しつつ作業効率を上げ、経費削減を可能としたＷローター（１）（２）（代か機）である。
【発明を実施する為の最良の形態】
【００１０】図１は、本発明の実施例を側面から見た斜視図である。
前小ローター（１）は後大ローター（２）より径が小さい為、回転が速く、また前小ローター（１）で４０％の開墾を先にすることにより後大ローター（２）で１００％開墾し、またトラクター本体ローターの負担を軽減し、なお前小ローター（１）で開墾された土は、後大ローター（２）より１００％開墾される為に、よりよい土に開墾されます。
また、２度に分けて開墾するために、Ｗローター（１）（２）にかかる負担が軽くすみ、トラクター本体（６）のエンジン、また接合部分（ギヤ）などの損傷も軽くすみ、作業効率も上がり、経費節約にもなるＷローター（代か機）である。
【産業上の利用可能性】
【００１１】本発明は、田畑の開墾の際、よい土に変える事を可能とし、作業回数を少なく硬い田畑でも無理なく、またトラクターの小型化、損傷の軽減をし、スピードアップと経費削減を可能として発明、考案されたものである。
【要約】
【０００１】トラクター（６）にＷローター（１）（２）（代か機）を取り付けて開墾するに当たり、両方の損傷の軽減をし、またより細かく作業効率アップを実現し、なお経費削減を解消したＷローター（代か機）を提供するものである。
【背景技術】
【０００１】トラクターの稼動する軸にＷローター（１）（２）（代か機）を取り付け、本体とＷローターにチェーンで接合し、Ｗローター（代か機）を回転させ、前小ローター（１）で４０％の開墾を無理なく、より細かく、また前小ローター（１）開墾された土を後大ローター（２）で１００％開墾し、後大ローター（２）前小ローター（１）合わせて開墾をするものであり、トラクター本体（６）、Ｗローター（１）（２）（代か機）に無理なく、より細かく損傷を軽減しつつ、作業効率、また経費削減を実現したＷローター（代か機）である。
〔図１〕  〔本発明の説明〕
〔図１〕  本発明の全体斜視図
本発明のＷローター（代か機）の斜視図
【符号の説明】（１）前小ローター
（２）後大ローター
（３）土の底    ４０％
（４）土の底    １００％
（５）土の天場
（６）トラクター本体
（７）水の天場
【図１】
2016077282.tif 000003
【手続補正書】
【提出日】平成27年2月13日(2015.2.13)
【手続補正４】
【補正対象書類名】明細書
【補正対象項目名】全文
【補正方法】変更
【補正の内容】
【発明の詳細な説明】
【発明の詳細な説明】
【技術分野】
【０００１】従来のトラクター（６）は、後部の大型のローター（２）１機により開墾する為、トラクターエンジン、また大型ローターで深掘りを一度にするために、かなりの負担がかかり、トラクター本体、または代か機の損傷もはげしく、経費もかかり作業効率もよくありません。今回発明、考案されたＷローター（代か機）は、負担を軽くし、作業効率を良くすることを可能としたＷローターである。
【従来の技術及び発明が解決しようとする課題】
【０００２】現在のトラクターでの代か機は、ローター機で開墾をする為に、同じ場所を何度も回る必要があり、また深掘りする時も低速にて何度も回らなくてはならず、トラクター（６）と代か機（２）にはかなりの負担がかかり、トラクターは大型が必要となり、経費またこれらの損傷もかなりのものである。Ｗローターでは前後のローター（１）で４０％、後部ローター（２）で１００％の開梱をする為に、負担なく開梱ができ、またトラクターも小型ですみ、損傷、経費の節減も可能としたＷローター（代が機）である。
【背景技術】
【０００３】大型のローター（代か機）１機のみで、田畑の開梱をする為に、大型トラクターが必要になり、また１度に無理に開梱するために、開墾スピードはもちろんのこと遅くなり、エンジン、ローター刃にもかなりの負担、損傷がかかり本体、またローター（代が機）の寿命が短くなり、経費もかなりかかります。
【発明が解決しようとする課題】
【０００４】トラクター（６）（代か機（２）のみで、田畑の開梱をしますが、田畑が固いために、トラクター（６）のスピードは低速で、作業効率が非常に悪く時間がかかりましたが、今回発明、考案しましたＷローターでは、前ローター（１）で４０％の開墾をし、後ろローター（２）で１００％の開墾を２度に分けてする為に、トラクター（６）またＷローター（代か機）の負担を軽減し、作業効率を上げ、尚且つ経費を削減し、スピードアップ、また土をより細かくする事を考えて発明、考案されたＷローター（代か機）である。
【課題を解決するための手段】
【０００５】本発明、考案に係るＷローター（１）（２）（代か機）は原則として前小ローター（１）と後大ローター（２）が回転をし、前小ローターで４０％の開墾をし、また草、藁などの切断をしつつ後大ローター（２）より、回転も速く、前ローター（１）で４０％の開墾をし、後大ローター（２）でこれを再度より細かく開墾しながら尚且つ１００％の開墾をし、機械に優しく、作業効率、経費削減できるＷローター（代か機）である。
【発明の効果】
【０００６】本発明のＷローター（１）（２）（代か機）はトラクターのエンジン、またＷローター（代か機）の負担、損傷を軽減しつつ作業効率を上げ、経費削減を可能としたＷローター（１）（２）（代か機）である。
【発明を実施する為の最良の形態】
【０００７】図１は、本発明の実施例を側面から見た斜視図である。
前小ローター（１）は後大ローター（２）より径が小さい為、回転が速く、また前小ローター（１）で４０％の開墾を先にすることにより後大ローター（２）で１００％開墾し、またトラクター本体ローターの負担を軽減し、なお前小ローター（１）で開墾された土は、後大ローター（２）より１００％開墾される為に、よりよい土に開墾されます。
また、２度に分けて開墾するために、Ｗローター（１）（２）にかかる負担が軽くすみ、トラクター本体（６）のエンジン、また接合部分（ギヤ）などの損傷も軽くすみ、作業効率も上がり、経費節約にもなるＷローター（代か機）である。
【産業上の利用可能性】
【０００８】本発明は、田畑の開墾の際、よい土に変える事を可能とし、作業回数を少なく硬い田畑でも無理なく、またトラクターの小型化、損傷の軽減をし、スピードアップと経費削減を可能として発明、考案されたものである。
【図面の簡単な説明】
【０００９】
【図１】本発明の全体斜視図である。
【符号の説明】
【００１０】（１）前小ローター
（２）後大ローター
（３）土の底    ４０％
（４）土の底    １００％
（５）土の天場
（６）トラクター本体
（７）水の天場
【手続補正書】
【提出日】平成27年2月13日(2015.2.13)
【手続補正１】
【補正対象書類名】明細書
【補正対象項目名】０００９
【補正方法】変更
【補正の内容】
【０００９】
【図１】本発明の全体斜視図である。
【図２】本発明の側面図である。
【手続補正２】
【補正対象書類名】図面
【補正対象項目名】全図
【補正方法】変更
【補正の内容】
【図１】
2016077282.tif 000004
【図２】
2016077282.tif 000005